(57)【特許請求の範囲】
【請求項１】
所定のパラメータの第１の基準値を基にパラメータ値を変化させた１又は複数のブラケット値による画像を取得するブラケット撮影を行う撮影装置であって、
前記ブラケット撮影を行う際に初期設定される第２の基準値から、ユーザ操作により調整される調整値を取得する取得手段と、
前記取得手段により取得される前記調整値と、前記第２の基準値と、の乖離度を算出する算出手段と、
前記調整値を中央値とした場合の前記算出手段により算出される前記乖離度に応じて、前記ブラケット撮影を行う際の前記ブラケット値を、数又は前記第１の基準値からの変化量が異なるように設定する設定手段と、
を備えることを特徴とする撮影装置。
【請求項２】
前記設定手段は、前記算出手段により算出される前記乖離度が大きいほど、前記ブラケット値の数を多くする、
ことを特徴とする請求項１に記載の撮影装置。
【請求項３】
前記設定手段は、前記算出手段により算出される前記乖離度が大きいほど、前記第１の基準値からの変化量を大きくする、
ことを特徴とする請求項１又は２に記載の撮影装置。
【請求項４】
前記設定手段は、更に、前記パラメータ値の設定可能範囲又は初期設定値に応じて、特定される設定方法に応じて、前記ブラケット撮影を行う際の前記ブラケット値を設定する、
ことを特徴とする請求項１乃至３の何れか１項に記載の撮影装置。
【請求項５】
前記算出手段は、前記乖離度として、前記調整値と、前記第２の基準値と、の差を算出する、
ことを特徴とする請求項１乃至４の何れか１項に記載の撮影装置。
【請求項６】
前記所定のパラメータは、画像処理をかける強度を示すレベルであり、
前記第２の基準値は、画像処理の標準となるレベルであり、
前記取得手段は、ユーザ操作により標準レベルから調整された調整レベルを取得し、
前記算出手段は、前記標準レベルと、前記調整レベルと、から調整レベル量を算出し、
前記設定手段は、前記調整レベル量に応じて、前記ブラケット撮影を行う際の前記ブラケット値を設定する、
ことを特徴とする請求項１乃至５の何れか１項に記載の撮影装置。
【請求項７】
前記所定のパラメータは、露出であり、
前記第２の基準値は、自動露出機能により設定される露出値であり、
前記取得手段は、ユーザ操作により調整される露出補正値を取得し、
前記算出手段は、前記自動露出機能により設定される露出値と、前記露出補正値と、から露出補正量を算出し、
前記設定手段は、前記露出補正量に応じて、前記ブラケット撮影を行う際の前記ブラケット値を設定する、
ことを特徴とする請求項１乃至６の何れか１項に記載の撮影装置。
【請求項８】
所定のパラメータの第１の基準値を基にパラメータ値を変化させた１又は複数のブラケット値による画像を取得するブラケット撮影を行う撮影装置で実行される撮影設定方法あって、
前記ブラケット撮影を行う際に初期設定される第２の基準値から、ユーザ操作により調整される調整値を取得する取得処理と、
前記取得処理により取得される前記調整値と、前記第２の基準値と、の乖離度を算出する算出処理と、
前記調整値を中央値とした場合の前記算出処理により算出される前記乖離度に応じて、前記ブラケット撮影を行う際の前記ブラケット値を、数又は前記第１の基準値からの変化量が異なるように設定する設定処理と、
を備えることを特徴とする撮影設定方法。
【請求項９】
所定のパラメータの第１の基準値を基にパラメータ値を変化させた１又は複数のブラケット値による画像を取得するブラケット撮影を行う撮影装置を制御するコンピュータに、
前記ブラケット撮影を行う際に初期設定される第２の基準値から、ユーザ操作により調整される調整値を取得する取得機能と、
前記取得機能により取得される前記調整値と、前記第２の基準値と、の乖離度を算出する算出機能と、
前記調整値を中央値とした場合の前記算出機能により算出される前記乖離度に応じて、前記ブラケット撮影を行う際の前記ブラケット値を、数又は前記第１の基準値からの変化量が異なるように設定する設定機能と、
を実現させることを特徴とするプログラム。
【発明の詳細な説明】
【技術分野】
【０００１】
本発明は、撮影装置、撮影設定方法及びプログラムに関する。
【背景技術】
【０００２】
従来より、所望する撮影画像を取得するために、撮影パラメータの値を変更しながら複数回の撮影を連続して行うブラケット撮影が広く使用されている。撮影環境によって変更する撮影パラメータの適切な値は異なるものであり、撮影の都度複数の撮影パラメータの値を設定することは面倒であるため、タッチパネルを使用し、中心となる基準値を容易に設定できるようにして、その基準値から所定の量をずらした他の撮影パラメータの値が自動的に設定されるようにした技術が開示されている（特許文献１参照）。
【先行技術文献】
【特許文献】
【０００３】
【特許文献１】特開２０１４−４８３８２号公報
【発明の概要】
【発明が解決しようとする課題】
【０００４】
しかしながら、特許文献１に記載の技術は、ユーザにより設定される基準値によらず、基準値に対して撮影パラメータの値をずらす量や数が固定的な撮影パラメータの値が設定されるに留まっている。
【０００５】
本発明は、このような状況に鑑みてなされたものであり、ブラケット撮影を行う際に、ユーザの撮影意図を容易に反映できるようにすることである。
【課題を解決するための手段】
【０００６】
上記目的を達成するため、本発明の一態様の撮影装置は、
所定のパラメータの第１の基準値を基にパラメータ値を変化させた１又は複数のブラケット値による画像を取得するブラケット撮影を行う撮影装置であって、
前記ブラケット撮影を行う際に初期設定される第２の基準値から、ユーザ操作により調整される調整値を取得する取得手段と、
前記取得手段により取得される前記調整値と、前記第２の基準値と、の乖離度を算出する算出手段と、
前記調整値を中央値とした場合の前記算出手段により算出される前記乖離度に応じて、前記ブラケット撮影を行う際の前記ブラケット値を、数又は前記第１の基準値からの変化量が異なるように設定する設定手段と、
を備えることを特徴とする。
【発明の効果】
【０００７】
本発明によれば、ブラケット撮影を行う際に、ユーザの撮影意図を容易に反映することができる。
【図面の簡単な説明】
【０００８】
【図１】本発明の一実施形態に係る撮影装置のハードウェアの構成を示すブロック図である。
【図２】メイクアップ設定におけるブラケット値設定条件及びブラケット値設定方法を示す図である。
【図３】ブラケット値設定条件と、ブラケット値設定方法に基づいて設定されるメイクアップ設定の設定例を示す模式図である。
【図４】ブラケット値設定条件と、ブラケット値設定方法に基づいて設定されるメイクアップ設定の設定例を示す模式図である。
【図５】本実施形態におけるパラメータの設定画面の表示例を示す模式図である。
【図６】図１の撮影装置の機能的構成のうち、撮影処理を実行するための機能的構成を示す機能ブロック図である。
【図７】図６の機能的構成を有する図１の撮影装置が実行するメイクアップモードの撮影処理の流れを説明するフローチャートである。
【図８】図６の機能的構成を有する図１の撮影装置が実行するメイクアップモードの撮影処理の流れを説明するフローチャートである。
【図９】露出補正設定の設定例を示す模式図である。
【発明を実施するための形態】
【０００９】
以下、本発明の実施形態について、図面を用いて説明する。
【００１０】
図１は、本発明の一実施形態に係る撮影装置のハードウェアの構成を示すブロック図である。
撮影装置１は、例えばデジタルカメラとして構成される。
【００１１】
撮影装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記憶されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」という。撮像画像のデータは、ＣＰＵ１１等に適宜供給される。また、撮影装置１では、撮像部１６から順次出力される撮像画像をライブビュー画像として取得し、後述の入力部１７によるユーザの撮影指示操作により撮像部１６から出力される撮像画像を撮影画像として取得する。
【００１８】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
このように構成される撮影装置１では、所定のパラメータ（本実施形態においては、例えば、美白、肌のなめらかさ等のメイクアップに関するパラメータ）において、程度（パラメータの値）を異ならせて複数の画像を生成する、いわゆる、ブラケット撮影が可能な機能を有する。本実施形態のブラケット撮影では、撮影画像に対して、メイクアップ設定に応じた画像処理を施して、所定のパラメータにおける程度の異なる画像を複数枚生成する。
また、所定のパラメータにおける程度の異なる画像は、所定のパラメータにおいて、１の基準となる値（以下、「基準値」という。）と、当該基準値に対して、一義的に設定されて基準値とは値が異なる値（以下、「ブラケット値」という。）の値で画像処理することで生成される。
なお、基準値は、ユーザにより調整可能に構成される。
これに対して、ブラケット値は、ユーザが調整することなく、基準値に応じて設定される。ブラケット値は、値や数は、固定ではなく、例えば、基準値が設定可能範囲の中央付近にある場合には、ユーザにより幅広い変化を求める意図があるため、撮影枚数（基準値及びブラケット値の数）を多く（例えば、７枚，基準値１・ブラケット値６）して、設定可能範囲の端付近にある場合には、ユーザによる強弱の意図があるため、撮影枚数を中央より少なく（例えば、３枚，基準値１・ブラケット値２）とするように可変とすることができる。
【００２１】
本実施形態においては、さらに詳細に、ブラケット値を、基準値が初期位置（以下、初期位置の基準値を、「初期基準値」という。）であるか、ユーザによって調整されて初期位置とは異なる位置（以下、初期基準位置から調整されて初期位置とは異なる位置の基準値を「調整基準値」という。）であるかの要素で、その値と数を設定するように構成する。
具体的には、メイクアップ設定として、ブラケット値設定条件を設定し、設定したブラケット値設定条件に応じて、設定可能な範囲ないで、ブラケット値設定方法を設定し、ブラケット値設定条件及びブラケット値設定方法に基づいて、基準値（初期基準値／調整基準値）に対する位置関係と、数が設定するように構成する。
なお、本実施形態においては、初期基準値は、画像処理の基準となるレベルに設定されるように構成する。
【００２２】
図２は、メイクアップ設定におけるブラケット値設定条件及びブラケット値設定方法を示す図である。
本実施形態においてメイクアップ設定は、図２に示すように、ブラケット値設定条件及びブラケット値設定方法に基づいて、対応する基準値からブラケット値の値と数を設定する。また、本実施形態においては、ブラケット値設定方法は、ブラケット値設定条件が設定されることにより、設定可能となるように構成される。
【００２３】
ブラケット値設定条件においては、ブラケット値のパラメータ値の調整可能範囲の条件と、初期基準値の位置が設定可能である。
具体的には、ブラケット値設定条件としては、項目として「（１）：パラメータ値調整可能範囲」は、「１：負数を除く実数」と、「２：実数」の内容が選択可能となっている。また、項目として「（２）初期基準値」は、「１：パラメータ値調整可能範囲の端部以外」と、「２：パラメータ値調整可能範囲の端部」の内容が選択可能となっている。
【００２４】
また、ブラケット値設定方法においては、ブラケット値の数と変化量の設定基準、ブラケット値の数が変更可能の場合の設定方法、ブラケット値の変化量が変更可能の場合の設定方法、ブラケット値の設定方向が設定可能である。なお、ブラケット値の数と変化量は、本実施形態においては、初期基準値と、調整基準値との差（以下、「乖離度」ともいう。）によって設定される。基準値を初期基準値から調整することは、ユーザの意識的操作を伴うことであり、調整の有無や調整後の初期基準値との差に応じて、ブラケット値の数と変化量を変更可能に構成する。
具体的には、ブラケット値設定方法としては、項目として「（Ａ）：ブラケット値の設定方法」は、「１：数と変化量の両方を変更する」と、「２：変化量固定で数のみ変更する」と、「３：数固定で変化量のみ変更する」の内容が選択可能となっている。また、項目として「（Ｂ）ブラケット値の数の変更方法」は、「１：乖離度が大きいほど数を少なくする」と、「２：乖離度が大きいほど数を多くする」の内容が選択可能となっている。また、項目として「（Ｃ）ブラケット値の変化量の変更方法」は、「１：乖離度が大きいほど変化量を大きくする」と、「２：乖離度が大きいほど変化量を小さくする」の内容が選択可能となっている。また、項目として「（Ｄ）ブラケット値の設定方向」は、「１：基準値の両側」と、「２：基準値の片側（＋方向）」と、「３：基準値の片側（−方向）」の内容が選択可能となっている。
【００２５】
例えば、メイクアップ設定は、ブラケット値設定条件：「（１）：パラメータ値調整可能範囲」は、「１：負数を除く実数」・「（２）初期基準値」は、「１：パラメータ値調整可能範囲の端部以外」で、ブラケット値設定方法：「（Ａ）：ブラケット値の設定方法」は、「１：数と変化量の両方を変更する」・「（Ｂ）ブラケット値の数の変更方法」は、「１：乖離度が大きいほど数を少なくする」・「（Ｃ）ブラケット値の変化量の変更方法」は、「１：乖離度が大きいほど変化量を大きくする」・「（Ｄ）ブラケット値の設定方向」は、「１：基準値の両側」の内容が選択された場合、パラメータ設定は、項目番号と内容を列記して「（１）−１（２）−１（Ａ）−１（Ｂ）−１（Ｃ）−１（Ｄ）−１」と表す。
【００２６】
本実施形態においては、メイクアップ設定として、上述したブラケット値設定条件と、ブラケット値設定方法に基づいて、実際のブラケット値の数と値が設定される。
【００２７】
図３及び図４は、ブラケット値設定条件と、ブラケット値設定方法に基づいて設定されるメイクアップ設定の設定例を示す模式図である。なお、図３の例では、ブラケット値設定条件及びブラケット値設定方法で、「（１）−１（２）−１（Ａ）−１（Ｂ）−１（Ｃ）−１（Ｄ）−１」（以下、「メイクアップ設定例１」という。）に対して、（Ａ）の項目のみ異なる「（１）−１（２）−１（Ａ）−２（Ｂ）−１（Ｃ）−１（Ｄ）−１」（以下、「メイクアップ設定例２」という。）と、「（１）−１（２）−１（Ａ）−３（Ｂ）−１（Ｃ）−１（Ｄ）−１」（以下、「メイクアップ設定例３」という。）を示し、図４の例では、メイクアップ設定１：「（１）−１（２）−１（Ａ）−１（Ｂ）−１（Ｃ）−１（Ｄ）−１」に対して、（Ｃ）のみの項目が異なる「（１）−１（２）−１（Ａ）−１（Ｂ）−１（Ｃ）−２（Ｄ）−１」（以下、「メイクアップ設定例４」という。）と、（Ｄ）の項目のみが異なる「（１）−１（２）−１（Ａ）−１（Ｂ）−１（Ｃ）−１（Ｄ）−２」（以下、「メイクアップ設定例５」という。）と、メイクアップ設定５：「（１）−１（２）−１（Ａ）−１（Ｂ）−１（Ｃ）−１（Ｄ）−２」に対して、（２）の項目がさらに異なる「（１）−１（２）−２（Ａ）−１（Ｂ）−１（Ｃ）−１（Ｄ）−２」を示す。
【００２８】
また、本実施形態のブラケット値設定テーブルでは、［ブラケット値］として、［基準値］（調整基準値）と、基準値を中央値として増加する方向のブラケット値［＋側ブラケット値］と、減少する方向のブラケット値［−側ブラケット値］を、初期基準値からの調整基準値との乖離度［初期基準値との乖離度（差）］に対応して示している。
【００２９】
具体的には、メイクアップ設定例１では、
（１）パラメータ値調整可能範囲は、負数を除く実数
（２）初期基準値は、パラメータ値調整可能範囲の端部以外である中央値の［初期基準値：７］
（Ａ）ブラケット値の設定方法が数と変化量の両方を変更する
（Ｂ）ブラケット値の数の変更方法は、乖離度が大きいほど数を少なくする
（Ｃ）ブラケット値の変化量の変更方法は、乖離度が大きいほど変化量を大きくする
（Ｄ）ブラケット設定方向が基準値の両側
であるため、ユーザによる基準値の調整が行われていない［初期基準値との乖離度（差）：±０］の［基準値：７］とした場合は、［−側ブラケット値：４，５，６］・［＋側ブラケット値：８，９，１０］となる。
また、初期基準値との差が最もマイナス側に大きくなる［初期基準値との乖離度（差）：−６］の［基準値：１］とした場合には、［＋側ブラケット値：２］のみとなる。
【００３０】
また、メイクアップ設定例５では、
（１）パラメータ値調整可能範囲は、負数を除く実数
（２）初期基準値は、パラメータ値調整可能範囲の端部となる［初期基準値：１］
（Ａ）ブラケット値の設定方法が数と変化量の両方を変更する
（Ｂ）ブラケット値の数の変更方法は、乖離度が大きいほど数を少なくする
（Ｃ）ブラケット値の変化量の変更方法は、乖離度が大きいほど変化量を大きくする
（Ｄ）ブラケット設定方向は、基準値の片側（＋方向）
であるため、ユーザによる基準値の調整が行われていない［初期基準値との乖離度（差）：±０］の［基準値：１］とした場合は、［＋側ブラケット値：２，４，６，９，１３］となる。
また、初期基準値との差が最もプラス側に大きくなる［初期基準値との乖離度（差）：＋１２］の［基準値：１３］とした場合には、［＋側ブラケット値：ナシ］となる。
本実施形態においては、上述した決定基準により、初期基準値と、初期基準値に対応する各調整基準値に対応して、ブラケット値が予め決定されており、テーブル等により、各ブラケット値設定条件及びブラケット設定方法の各々の組み合わせに対応した初期基準値、調整基準値、対応するブラケット値が管理されている。
【００３１】
また、表示としては、例えば、メイクアップ設定１の場合には、図５に示すように、まず、設定初期においては、ブラケット値設定テーブルに基づいて設定される初期基準値と、ブラケット値を表示し、初期基準値がユーザの操作によって調整された場合に、ブラケット値設定テーブルを参照して、調整後の調整基準値に基づいて、ブラケット値を自動設定して、最終的に設定された調整基準値とブラケット値を表示する。なお、図５は、設定画面におけるメイクアップ設定に基づいて設定される基準値とブラケット値の表示例を示す模式図である。
【００３２】
図６は、このような撮影装置１の機能的構成のうち、メイクアップモードの撮影処理を実行するための機能的構成を示す機能ブロック図である。
「メイクアップモードの撮影処理」とは、ブラケット撮影において、メイクアップ設定処理において調整された基準値と、設定されたブラケット値とに基づいて画像処理をして、所定パラメータにおける複数の程度の異なる画像を生成して、画像表示や記憶をしたりする一連の処理である。
【００３３】
メイクアップモードの撮影処理を実行する場合には、図６に示すように、ＣＰＵ１１において、撮像制御部５１と、操作検出部５２と、モード設定部５３と、画像取得部５４と、画像処理部５５と、表示制御部５６と、記憶制御部５７と、パラメータ設定部５８と、を備える。
【００３４】
記憶部１９の一領域には、パラメータ情報記憶部７１と、画像記憶部７２と、が設けられる。
【００３５】
パラメータ情報記憶部７１には、図２に示すようなブラケット値設定条件及びブラケット値設定方法の情報と、ユーザにより設定されたブラケット値設定条件及びブラケット値設定方法とが記憶される。また、パラメータ情報記憶部７１には、図３及び図４に示すようなブラケット値設定条件及びブラケット値設定方法の各々の組み合わせに対応した初期基準値に対応したブラケット値の値と数、調整基準値の初期基準値との乖離度に応じたブラケット値の値と数が記憶されている。なお、ブラケット値設定条件及びブラケット値設定方法は、本実施形態においては、例えば、美白や肌のなめらかさ等のパラメータの種類毎に設定される。
【００３６】
画像記憶部７２には、撮像部１６から出力される撮像画像を取得して撮影処理が行われた撮影画像やその撮影画像に画像処理を施した撮影画像（処理画像）が記憶される。
【００３７】
撮像制御部５１は、ユーザからの入力部１７を介した撮影開始指示に基づいて、撮像処理を実行させたり、ライブビュー画像の表示を開始したりするように撮像部１６を制御する。
【００３８】
操作検出部５２は、ユーザによる入力部１７への操作を検出する。具体的には、操作検出部５２は、モード設定を行う操作、メイクアップ設定処理を開始させる操作、撮影指示操作、メイクアップ設定処理における初期基準値から調整基準値への基準値の変更操作（以下、「調整操作」という。）、処理の終了操作等の各種操作を検出する。
【００３９】
モード設定部５３は、操作検出部５２により検出された入力部１７へのモード設定を行う操作に基づいて、例えば、通常・夜景・風景・花等の撮影の状態に適した撮影設定を行う撮影のモードを設定する。本実施形態のメイクアップの画像処理を行う「メイクアップモード」も撮影のモードの１として設定される。モード設定部５３によりモード設定されない場合には、例えば、通常撮影モード等の初期設定のモードや前回設定したモードとなる。
【００４０】
画像取得部５４は、撮像部１６から出力された撮像画像を取得する。
【００４１】
画像処理部５５は、画像取得部５４によって取得された撮像画像にデータ補間、カラー変換、ホワイトバランスやシャープネスの調整といった撮影処理を行った撮影画像に対して、設定された複数のブラケット値による画像処理を施して処理画像（画像処理が施された撮影画像）を生成する。
【００４２】
画像処理部５５は、撮影された１枚の画像に対して、値を変えて画像処理を施して、複数枚の画像を生成する。画像処理部５５は、例えば、「美白」をメイクアップのパラメータにして画像処理を施す場合には、肌の色に対して、肌の色に適した白の度合いを変化させる画像処理である美白処理を施し、「肌のなめらかさ」の場合には、肌の領域に対して、なめらかさの程度を変更する画像処理を施す。なお、美白処理及びなめらかさの程度を変更する画像処理は、各々周知の画像処理技術を用いることで実現可能であるため、ここでは詳細な説明は省略する。
【００４３】
表示制御部５６は、画像等を表示出力するように出力部１８を制御する。
具体的には、表示制御部５６は、ライブビュー画像を表示出力したり、メイクアップの設定がある場合には、設定された基準値（初期基準値／調整基準値）で画像処理を施したライブビュー画像を表示出力したり、メイクアップ設定の設定画面をライブビュー画像と共に表示出力したりするように出力部１８を制御する。
【００４４】
記憶制御部５７は、撮像部１６から出力される撮像画像を取得し撮影処理を行った撮影画像を画像記憶部７２に記憶させる。メイクアップ設定がある場合には、画像処理部５５が、調整された基準値（初期基準値／調整基準値）と、対応するブラケット値で画像処理を施した撮影画像（処理画像）を画像記憶部７２に記憶させる。
【００４５】
パラメータ設定部５８は、ユーザの指示操作等により、パラメータの種類を特定し、パラメータ情報記憶部７１に記憶されるパラメータの種類に対応した予め設定されたブラケット値設定条件及びブラケット値設定方法に基づいて、基準値と、対応するブラケット値を設定する。
詳細には、パラメータ設定部５８は、ユーザからの指示操作等に応じて、パラメータの種類（例えば、「美白」）を特定し、パラメータ情報記憶部７１に記憶されているブラケット値設定条件及びブラケット値設定方法を取得する。また、パラメータ設定部５８は、パラメータ情報記憶部７１に記憶されている初期基準値を取得し、取得した初期基準値に対して、取得したブラケット値設定条件、ブラケット値設定方法に基づきブラケット値を設定する。さらに、パラメータ設定部５８は、ユーザにより調整された調整基準値に対して、取得したブラケット値設定条件及びブラケット値設定条件に基づきブラケット値を設定する。
【００４６】
図７及び図８は、図６の機能的構成を有する図１の撮影装置１が実行するメイクアップモードの撮影処理の流れを説明するフローチャートである。
メイクアップモードの撮影処理は、ユーザによる入力部１７への開始の操作、モードの設定操作により開始される。本実施形態においては、ユーザによるモードの設定操作を受けて、モード設定部５３によりメイクアップモードが設定されて、以下の処理が行われる。
【００４７】
ステップＳ１１において、パラメータ設定部５８は、ユーザからの指示操作等に応じて、パラメータの種類（例えば、「美白」）を特定する。
【００４８】
ステップＳ１２において、パラメータ設定部５８は、パラメータ情報記憶部７１に記憶されているブラケット値設定条件を取得する。
【００４９】
ステップＳ１３において、パラメータ設定部５８は、パラメータ情報記憶部７１に記憶されているブラケット値設定方法を取得する。
【００５０】
ステップＳ１４において、パラメータ設定部５８は、パラメータ情報記憶部７１に記憶されている初期基準値を取得する。
【００５１】
ステップＳ１５において、パラメータ設定部５８は、取得した初期基準値に対して、取得したブラケット値設定条件、ブラケット値設定方法に基づきブラケット値を設定する。
【００５２】
ステップＳ１６において、表示制御部５６は、パラメータ設定部５８によって取得された初期基準値、及び設定されたブラケット値を表示出力するように出力部１８を制御する。
【００５３】
ステップＳ１７において、画像取得部５４は、撮像部１６から出力される撮像画像をライブビュー用画像として取得する。
【００５４】
ステップＳ１８において、パラメータ設定部５８によって取得された初期基準値に従って、画像処理部５５は、画像取得部５４により取得したライブビュー用画像に対して、画像処理を施してライブビュー画像（ライブビュー用処理画像）を生成する。
【００５５】
ステップＳ１９において、表示制御部５６は、画像処理部５５によって生成されたライブビュー画像（ライブビュー用処理画像）を表示出力するように出力部１８を制御する。
【００５６】
ステップＳ２０において、操作検出部５２は、ユーザによる入力部１７への基準値の調整操作があったか否かを判定する。具体的には、ユーザによる入力部１７への基準値の調整操作として、図５に示すような各パラメータのスライドバーにおける基準値を表すバーの位置を変更するような操作が行われたか否かを判定する。
基準値の変更操作があった場合には、ステップＳ２０においてＹＥＳと判定されて、処理はステップＳ２１に進む。
【００５７】
ステップＳ２１において、パラメータ設定部５８は、ユーザにより調整された調整基準値に対して、取得したブラケット値設定条件、ブラケット値設定条件に基づきブラケット値を設定する。
ステップＳ２２において、表示制御部５６は、ユーザにより調整された調整基準値、及びパラメータ設定部５８によって設定されたブラケット値を表示するように出力部１８を制御する。
【００５８】
その後処理はステップＳ１７に戻り、ステップＳ１７において、画像取得部５４は、撮像部１６から出力される撮像画像をライブビュー用画像として取得し、ステップＳ１８において、ユーザにより調整された調整基準値に従って、画像処理部５５は、画像取得部５４により取得したライブビュー用画像に対して、画像処理を施してライブビュー画像（ライブビュー用処理画像）を生成し、ステップＳ１９において、表示制御部５６は、画像処理部５５によって生成されたライブビュー画像（ライブビュー用処理画像）を表示出力するように出力部１８を制御する。
【００５９】
ステップＳ２０において、基準値の調整操作がなかった場合には、ステップＳ２０においてＮＯと判定されて、処理はステップＳ２３に進む。
【００６０】
ステップＳ２３において、操作検出部５２は、撮影指示操作があったか否かを判定する。
撮影指示操作があった場合には、ステップＳ２３においてＹＥＳと判定されて、処理はステップＳ２４に進む。
【００６１】
ステップＳ２４において、画像取得部５４は、ユーザによる入力部１７への撮影指示操作が行われ、撮像制御部５１により撮像処理を行うように撮像部１６が制御された結果、撮像部１６から出力される撮像画像を撮影用画像として取得する。
【００６２】
ステップＳ２５において、画像処理部５５は、画像取得部５４によって取得された撮影用画像にデータ補間、カラー変換、ホワイトバランスやシャープネスの調整といった撮影処理を行い、撮影画像を生成する。
【００６３】
ステップＳ２６において、パラメータ設定部５８によって取得された初期基準値又はユーザにより調整された調整基準値と、パラメータ設定部５８によって設定されたブラケット値に従って、画像処理部５５は、取得した撮影画像に対して、画像処理を施して１又は複数処理画像を生成する。
【００６４】
ステップＳ２７において、記憶制御部５７は、画像記憶部７２に撮影画像を記憶させる。詳細には、記憶制御部５７は、基準値及びブラケット値で画像処理を施した１又は複数の処理画像を記憶させるように画像記憶部７２を制御する。
その後処理はステップＳ１７に戻る。
【００６５】
ステップＳ２３において撮影指示操作がなかった場合には、ステップＳ２３においてＮＯと判定されて、処理はステップＳ２８に進む。
【００６６】
ステップＳ２８において、操作検出部５２は、ユーザにより入力部１７に対して、終了操作があったか否かを判定する。
終了操作がない場合には、ステップＳ２８においてＮＯと判定されて、処理はステップＳ１７に戻る。
終了操作があった場合には、ステップＳ２８においてＹＥＳと判定されて、メイクアップモードの撮影処理は終了する。
【００６７】
従来、メイクアップ撮影モードで撮影を行う場合、エフェクトレベルをユーザが変更した時点で固定枚数が設定されるため、撮影環境や撮影者の要因により、煩雑な操作を繰り返し行って撮影する必要があった。
このため、本実施形態の撮影装置１においては、メイクアップ撮影で、初期の基準値からユーザ操作により調整されたメイクアップレベルに（初期の基準値との差）応じて、撮影枚数を決定することができるようにも構成した。例えば、レベル位置が中央付近にある場合は、撮影枚数を７枚とし、端付近にある場合は、撮影枚数を３枚とすることができるようにも構成した。
したがって、撮影装置１においては、メイクアップ撮影を行う場合、撮影環境や撮影者の要因等により、設定を変更して試したい場合、煩雑な操作を繰り返し行わずに効率的な撮影が可能になる。
【００６８】
＜変形例＞
上述した実施形態では、１枚の撮像画像に対して複数回の画像処理をかけて複数枚の撮影画像を生成しているが、パラメータの値の組み合わせであるブラケット値を撮影毎に変更して複数回の撮影を行い複数枚の撮影画像を生成する、通常のブラケット撮影であってもよい。具体的には、例えば、ユーザが設定した露出補正値と装置が提示した標準値との乖離度に応じて、ブラケット撮影の枚数やブラケット値を変更するような通常のブラケット撮影であってもよい。
【００６９】
図９は、露出補正設定の設定例を示す模式図である。
具体的には、露出補正設定例では、図２のブラケット値設定条件及びブラケット値設定方法が（１）−２（２）−１（Ａ）−１（Ｂ）−１（Ｃ）−１（Ｄ）−１を採用するように構成した場合には、例えば、図９に示すように、
（１）パラメータ値調整可能範囲：実数
（２）初期基準値：パラメータ調整可能範囲の端部以外：±０
（Ａ）ブラケット値の設定方法が数と変化量の両方を変更する
（Ｂ）ブラケット値の数の変更方法は、乖離度が大きいほど数を少なくする
（Ｃ）ブラケット値の変化量の変更方法は、乖離度が大きいほど変化量を大きくする
（Ｄ）ブラケット値の設定方向：基準値の両側
であるため、ユーザによる基準値の調整が行われていない［初期基準値との乖離度（差）：±０］の［基準値：±０］とした場合は、［＋側ブラケット値：＋１／２，＋３／２，＋３］・［−側ブラケット値：−１／２，−３／２，−３］となる。
また、調整基準値との差が最もプラス側に大きくなる［初期基準値との乖離度（差）：＋３］の［基準値：３］とした場合には［−側ブラケット値：＋５／２］となる。
【００７０】
＜他の変形例＞
上述した実施形態では、調整基準値と初期基準値との乖離度は、単純に、初期基準値と、初期基準値からユーザが移動させた調整基準値の差分［調整基準値−初期基準値］としていたが、例えば、乖離度をより強調するように［（調整基準値）−（初期基準値）＾２］と構成することができる。また、上述したメイクアップレベルのように最小値が正数の場合に、レベルが高いほど乖離度を強調するように［（調整基準値）＾２−（初期基準値）＾２］として構成することができる。
【００７１】
以上のように構成される撮影装置１は、所定のパラメータの基準値を基にパラメータ値を変化させた１又は複数のブラケット値による画像を取得するブラケット撮影を行う。
また、撮影装置１は、パラメータ設定部５８と、を備える。
パラメータ設定部５８は、ブラケット撮影を行う際に初期設定される初期基準値から、ユーザ操作により調整される調整基準値を取得する。
また、パラメータ設定部５８は、取得される調整基準値と、初期基準値と、の乖離度を算出する。
また、パラメータ設定部５８は、調整基準値を基に、算出される乖離度に応じて、ブラケット撮影を行う際のブラケット値を設定する。
これにより、撮影装置１においては、ブラケット撮影を行う際に、ユーザが初期基準値から、ユーザの操作によって調整した基準値（調整基準値）を基にブラケット値を設定するようにしたため、調整の程度である乖離度をもってユーザの撮影意図を容易に反映することができる。
【００７２】
パラメータ設定部５８は、算出される乖離度に応じて、数又は基準値からの変化量が異なるようにブラケット値を設定する。
これにより、撮影装置１においては、ブラケット撮影を行う際に、乖離度に応じて、数又は基準値からの変化量が異なるようにブラケット値を設定するため、ユーザの撮影意図を容易に反映することができる。
【００７３】
パラメータ設定部５８は、算出される乖離度が大きいほど、ブラケット値の数を多くする。
これにより、撮影装置１においては、ブラケット撮影を行う際に、乖離度が大きいほど、ブラケット値の数を多くするために、ユーザの撮影意図を容易に反映することができる。
【００７４】
パラメータ設定部５８は、算出される乖離度が大きいほど、基準値からの変化量を大きくする。
これにより、撮影装置１においては、ブラケット撮影を行う際に、乖離度が大きいほど、基準値からの変化量を大きくするために、ユーザの撮影意図を容易に反映することができる。
【００７５】
パラメータ設定部５８は、更に、パラメータ値の設定可能範囲又は初期設定値に応じて、特定される設定方法に応じて、ブラケット撮影を行う際のブラケット値を設定する。
これにより、撮影装置１においては、パラメータの条件（設定可能範囲又は初期設定値）に応じて、設定方法を変えることができ、簡単にユーザの撮影意図を容易に反映したブラケット値の設定をすることができる。
【００７６】
パラメータ設定部５８は、乖離度として、調整基準値と、初期基準値と、の差を算出する。
これにより、撮影装置１においては、簡単に乖離度を算出することができる上に、ユーザの撮影意図を容易に反映することができる。
【００７７】
所定のパラメータは、画像処理をかける強度を示すレベルである。
初期基準値は、画像処理の標準となるレベルである。
パラメータ設定部５８は、ユーザ操作により標準レベルから調整された調整レベルを取得する。
また、パラメータ設定部５８は、標準レベルと、調整レベルと、から調整レベル量を算出する。
また、パラメータ設定部５８は、調整レベル量に応じて、ブラケット撮影を行う際のブラケット値を設定する。
これにより、撮影装置１においては、基準レベルから算出された調整レベルによってブラケット値を設定することができるために、ユーザの撮影意図を容易に反映することができる。
【００７８】
所定のパラメータは、露出である。
初期基準値は、自動露出機能により設定される露出値である。
パラメータ設定部５８は、ユーザ操作により調整される露出補正値を取得する。
また、パラメータ設定部５８は、自動露出機能により設定される露出値と、露出補正値と、から露出補正量を算出する。
また、パラメータ設定部５８は、露出補正量に応じて、ブラケット撮影を行う際のブラケット値を設定する。
これにより、撮影装置１においては、自動露出機能におけるブラケット撮影を行う際に、ユーザの撮影意図を容易に反映することができる。
【００７９】
なお、本発明は、上述の実施形態に限定されるものではなく、本発明の目的を達成できる範囲での変形、改良等は本発明に含まれるものである。
【００８０】
上述の実施形態では、ブラケット設定条件とブラケット設定方法に基づいて、メイクアップ設定を行うように構成したが、メイクアップ設定の乖離度や初期基準値の位置等の値を予め決定したテーブルにより管理するように構成したが、都度、ブラケット設定条件とブラケット設定方法に基づいて初期基準値とブラケット値を決定し、初期基準値と調整基準値との乖離度を算出して、ブラケット設定条件とブラケット設定方法に基づいて対応するブラケット値を決定するように構成してもよい。
【００８１】
上述した実施形態では、ブラケット値設定条件が設定されることによりブラケット値設定方法が設定可能になるように構成したが、ブラケット値設定条件が設定されることにより自動的にブラケット値設定方法が設定されるように構成してもよいし、ブラケット値設定条件に関わらず、ブラケット値設定方法を設定することができるように構成してもよい。
【００８２】
また、上述の実施形態では、メイクアップのパラメータとして「美白」と「肌のなめらかさ」をブラケットの対象としているが、視覚的な変化量（効果）が大きいパラメータがより適切であるとして、ブラケットの対象としてもよい。
ここで、メイクアップの他のパラメータの例として、「目の開き具合」、「充血除去」、「歯の美白」等が挙げられる。
【００８３】
また、上述の実施形態では、ブラケット値は、基準値を基準としてプラスマイナス方向に各々所定量変化させた値としたが、これに限られず、基準は中心でなくてもよく、全てのパラメータ値（基準値，±ブラケット値）をユーザが任意の組み合わせに設定できるように構成してもよい。
【００８４】
また、上述の実施形態では、撮影枚数、パラメータの値を予めセットした専用撮影モードとして設けてもよい。例えば、標準ブラケット（３枚撮影）、お試しブラケット（１０枚撮影）等のように構成してもよい。
【００８５】
また、上述の実施形態では、本発明が適用される撮影装置１は、デジタルカメラを例として説明したが、特にこれに限定されない。
例えば、本発明は、メイクアップモードの撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００８６】
上述した一連の処理は、ハードウェアにより実行させることもできるし、ソフトウェアにより実行させることもできる。
換言すると、図６の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図６の例に限定されない。
また、１つの機能ブロックは、ハードウェア単体で構成してもよいし、ソフトウェア単体で構成してもよいし、それらの組み合わせで構成してもよい。
【００８７】
一連の処理をソフトウェアにより実行させる場合には、そのソフトウェアを構成するプログラムが、コンピュータ等にネットワークや記憶媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８８】
このようなプログラムを含む記憶媒体は、ユーザにプログラムを提供するために装置本体とは別に配布される図１のリムーバブルメディア３１により構成されるだけでなく、装置本体に予め組み込まれた状態でユーザに提供される記憶媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記憶媒体は、例えば、プログラムが記憶されている図１のＲＯＭ１２や、図１の記憶部１９に含まれるハードディスク等で構成される。
【００８９】
なお、本明細書において、記憶媒体に記憶されるプログラムを記述するステップは、その順序に沿って時系列的に行われる処理はもちろん、必ずしも時系列的に処理されなくとも、並列的或いは個別に実行される処理をも含むものである。
【００９０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００９１】
以下に、本願の出願当初の特許請求の範囲に記載された発明を付記する。
［付記１］
所定のパラメータの基準値を基にパラメータ値を変化させた１又は複数のブラケット値による画像を取得するブラケット撮影を行う撮影装置であって、
前記ブラケット撮影を行う際に初期設定される初期基準値から、ユーザ操作により調整される調整基準値を取得する取得手段と、
前記取得手段により取得される前記調整基準値と、前記初期基準値と、の乖離度を算出する算出手段と、
前記調整基準値を基に、前記算出手段により算出される前記乖離度に応じて、前記ブラケット撮影を行う際の前記ブラケット値を設定する設定手段と、
を備えることを特徴とする撮影装置。
［付記２］
前記設定手段は、前記算出手段により算出される前記乖離度に応じて、数又は基準値からの変化量が異なるように前記ブラケット値を設定する、
ことを特徴とする付記１に記載の撮影装置。
［付記３］
前記設定手段は、前記算出手段により算出される前記乖離度が大きいほど、前記ブラケット値の数を多くする、
ことを特徴とする付記２に記載の撮影装置。
［付記４］
前記設定手段は、前記算出手段により算出される前記乖離度が大きいほど、前記基準値からの変化量を大きくする、
ことを特徴とする付記２又は３に記載の撮影装置。
［付記５］
前記設定手段は、更に、前記パラメータ値の設定可能範囲又は初期設定値に応じて、特定される設定方法に応じて、前記ブラケット撮影を行う際の前記ブラケット値を設定する、
ことを特徴とする付記１乃至４の何れか１つに記載の撮影装置。
［付記６］
前記算出手段は、前記乖離度として、前記調整基準値と、前記初期基準値と、の差を算出する、
ことを特徴とする付記１乃至５の何れか１つに記載の撮影装置。
［付記７］
前記所定のパラメータは、画像処理をかける強度を示すレベルであり、
前記初期基準値は、画像処理の標準となるレベルであり、
前記取得手段は、ユーザ操作により標準レベルから調整された調整レベルを取得し、
前記算出手段は、前記標準レベルと、前記調整レベルと、から調整レベル量を算出し、
前記設定手段は、前記調整レベル量に応じて、前記ブラケット撮影を行う際の前記ブラケット値を設定する、
ことを特徴とする付記１乃至６の何れか１つに記載の撮影装置。
［付記８］
前記所定のパラメータは、露出であり、
前記初期基準値は、自動露出機能により設定される露出値であり、
前記取得手段は、ユーザ操作により調整される露出補正値を取得し、
前記算出手段は、前記自動露出機能により設定される露出値と、前記露出補正値と、から露出補正量を算出し、
前記設定手段は、前記露出補正量に応じて、前記ブラケット撮影を行う際の前記ブラケット値を設定する、
ことを特徴とする付記１乃至７の何れか１つに記載の撮影装置。
［付記９］
所定のパラメータの基準値を基にパラメータ値を変化させた１又は複数のブラケット値による画像を取得するブラケット撮影を行う撮影装置で実行される撮影設定方法あって、
前記ブラケット撮影を行う際に初期設定される初期基準値から、ユーザ操作により調整される調整基準値を取得する取得処理と、
前記取得処理により取得される前記調整基準値と、前記初期基準値と、の乖離度を算出する算出処理と、
前記調整基準値を基に、前記算出処理により算出される前記乖離度に応じて、前記ブラケット撮影を行う際の前記ブラケット値を設定する設定処理と、
を備えることを特徴とする撮影設定方法。
［付記１０］
所定のパラメータの基準値を基にパラメータ値を変化させた１又は複数のブラケット値による画像を取得するブラケット撮影を行う撮影装置を制御するコンピュータに、
前記ブラケット撮影を行う際に初期設定される初期基準値から、ユーザ操作により調整される調整基準値を取得する取得機能と、
前記取得機能により取得される前記調整基準値と、前記初期基準値と、の乖離度を算出する算出機能と、
前記調整基準値を基に、前記算出機能により算出される前記乖離度に応じて、前記ブラケット撮影を行う際の前記ブラケット値を設定する設定機能と、
を実現させることを特徴とするプログラム。
【符号の説明】
【００９２】
１・・・撮影装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・撮像制御部，５２・・・操作検出部，５３・・・モード設定部，５４・・・画像取得部，５５・・・画像処理部，５６・・・表示制御部，５７・・・記憶制御部，５８・・・パラメータ設定部，７１・・・パラメータ情報記憶部，７２・・・画像記憶部
【図１】
0006575231.tif 000002
【図２】
0006575231.tif 000003
【図３】
0006575231.tif 000004
【図４】
0006575231.tif 000005
【図５】
0006575231.tif 000006
【図６】
0006575231.tif 000007
【図７】
0006575231.tif 000008
【図８】
0006575231.tif 000009
【図９】
0006575231.tif 000010